(57)【要約】【課題】一度ライセンスの譲渡を行った外部記憶媒体に再譲渡を行うことができるコンテンツ記憶装置および譲渡制御方法を提供する。【解決手段】譲渡制御ソフトウェア２００によって使用可能回数情報の譲渡を以前に行っていると判別された光ディスクＤに対して、使用可能回数情報の４回のうち３回を譲渡する。【選択図】      図１
2009181313.tif 000002
【特許請求の範囲】
【請求項１】
所定の鍵により暗号化されたコンテンツと、前記所定の鍵と、自身を特定する第１のメディアＩＤと、前記コンテンツの使用権の使用可能回数を表す第１の回数情報とが記憶された第１の記憶部と、
前記コンテンツと、前記所定の鍵と、前記第１の回数情報の一部の回数である第２の回数情報とを前記第１の記憶部から読み出し、前記コンテンツの複製先である自身を特定する第２のメディアＩＤが記憶された外部記憶媒体に譲渡する譲渡処理部と、
前記譲渡処理部により譲渡された前記外部記憶媒体の第２のメディアＩＤ、前記所定の鍵、および第２の回数情報を記憶する第２の記憶部と、
前記第２の記憶部に記憶された前記外部記憶媒体のメディアＩＤを参照し、前記譲渡処理部によって前記回数情報の譲渡を以前に行っていると判別された場合は、前記外部記憶媒体に対して、前記第１の回数情報のうち、任意の回数を第３の回数情報として譲渡する再譲渡処理部と
を具備することを特徴とするコンテンツ記憶装置。
【請求項２】
所定の鍵により暗号化されたコンテンツと、前記所定の鍵と、自身を特定する第１のメディアＩＤと、前記コンテンツの使用権を表す第１の回数情報とが記憶された記憶部と、
前記コンテンツと、前記所定の鍵と、前記第１の回数情報の一部の回数である第２の回数情報とを前記記憶部から読み出し、前記コンテンツの複製先である自身を特定する第２のメディアＩＤが記憶された外部記憶媒体に譲渡する譲渡処理部と、
前記外部記憶媒体に記憶されている前記コンテンツおよび前記所定の鍵を参照し、前記譲渡処理部によって前記回数情報の譲渡を以前に行っていると判別された場合は、前記第１の回数情報のうち、任意の回数を第３の回数情報として譲渡する再譲渡処理部と
を具備することを特徴とするコンテンツ記憶装置。
【請求項３】
請求項１または２のいずれかに記載のコンテンツ記憶装置において、
前記再譲渡処理部は、前記第３の回数情報として前記第２の回数情報に合算させるように譲渡を行うことを特徴とするコンテンツ記憶装置。
【請求項４】
請求項１または２のいずれかに記載のコンテンツ記憶装置において、
前記再譲渡処理部は、前記第３の回数情報を前記外部記憶媒体に譲渡する場合、前記第１の回数情報の残り回数が１回である場合は、この旨をユーザに通知することを特徴とするコンテンツ記憶装置。
【請求項５】
請求項１または２のいずれかに記載のコンテンツ記憶装置において、
前記再譲渡処理部は、前記第３の回数情報を前記外部記憶媒体に譲渡する場合、前記第１の回数情報の残りのすべての回数を譲渡することを特徴とするコンテンツ記憶装置。
【請求項６】
所定の鍵により暗号化されたコンテンツと、前記所定の鍵と、自身を特定する第１のメディアＩＤと、前記コンテンツの使用権の使用可能回数を表す第１の回数情報とが記憶された第１の記憶部を備えたコンテンツ記憶装置で用いられる譲渡制御方法であって、
前記コンテンツと、前記所定の鍵と、前記第１の回数情報の一部の回数である第２の回数情報とを前記第１の記憶部から読み出し、前記コンテンツの複製先である自身を特定する第２のメディアＩＤが記憶された外部記憶媒体に譲渡し、
前記譲渡された前記外部記憶媒体の第２のメディアＩＤ、前記所定の鍵、および第２の回数情報を第２の記憶部に記憶し、
前記第２の記憶部に記憶されている前記外部記憶媒体のメディアＩＤを参照し、前記回数情報の譲渡を以前に行っていると判別された場合は、前記外部記憶媒体に対して、前記第１の回数情報のうち、任意の回数を第３の回数情報として再譲渡することを特徴とする譲渡制御方法。
【請求項７】
所定の鍵により暗号化されたコンテンツと、前記所定の鍵と、自身を特定する第１のメディアＩＤと、前記コンテンツの使用権を表す第１の回数情報とが記憶された記憶部とを備えたコンテンツ記憶装置で用いられる譲渡制御方法であって、
前記コンテンツと、前記所定の鍵と、前記第１の回数情報の一部の回数である第２の回数情報とを前記記憶部から読み出し、前記コンテンツの複製先である自身を特定する第２のメディアＩＤが記憶された外部記憶媒体に譲渡し、
前記外部記憶媒体の前記コンテンツおよび前記所定の鍵を参照し、前記回数情報の譲渡を以前に行っていると判別された場合は、前記第１の回数情報のうち、任意の回数を第３の回数情報として再譲渡することを特徴とする譲渡制御方法。
【請求項８】
請求項６または７のいずれかに記載の譲渡制御方法において、
前記再譲渡は、前記第３の回数情報として前記第２の回数情報に合算させるように譲渡を行うことを特徴とする譲渡制御方法。
【請求項９】
請求項６または７のいずれかに記載の譲渡制御方法において、
前記再譲渡は、前記第３の回数情報を前記外部記憶媒体に譲渡する場合、前記第１の回数情報の残り回数が１回である場合は、この旨をユーザに通知することを特徴とする譲渡制御方法。
【請求項１０】
請求項６または７のいずれかに記載の譲渡制御方法において、
前記再譲渡は、前記第３の回数情報を前記外部記憶媒体に譲渡する場合、前記第１の回数情報の残りのすべての回数を譲渡することを特徴とする譲渡制御方法。
【発明の詳細な説明】
【技術分野】
【０００１】
本発明は、記憶したコンテンツの使用権の譲渡技術に係り、特にコンテンツの使用権の譲渡を行った記憶媒体に対して使用権の再譲渡を行うことが可能なコンテンツ記憶装置および譲渡制御方法に関する。
【背景技術】
【０００２】
一般的に、著作権保護されたコンテンツを録画可能なレコーダ機器においては、光ディスク等の外部記憶媒体に回数制限付きでコピー（またはムーブ）することができる。この場合、例えば特許文献１に示すように、回数制限をライセンス情報としてコピー先の外部記憶媒体に譲渡する技術が開示されている。
【特許文献１】特開２００４−１１０８１６号公報
【発明の開示】
【発明が解決しようとする課題】
【０００３】
しかしながら、特許文献１に記載された技術では、ライセンス情報をコピー先の外部記憶媒体に譲渡した後に、著作権保護されたコンテンツが元々備えていた回数制限が残っていた場合は、一度ライセンスの譲渡を行った外部記憶媒体に再譲渡を行うことができなかった。
【０００４】
そこで、本発明は、一度ライセンスの譲渡を行った外部記憶媒体に再譲渡を行うことができるコンテンツ記憶装置および譲渡制御方法を提供することを目的とする。
【課題を解決するための手段】
【０００５】
上述した課題を解決するために、本発明の一態様によれば、所定の鍵により暗号化されたコンテンツと、前記所定の鍵と、自身を特定する第１のメディアＩＤと、前記コンテンツの使用権の使用可能回数を表す第１の回数情報とが記憶された第１の記憶部と、前記コンテンツと、前記所定の鍵と、前記第１の回数情報の一部の回数である第２の回数情報とを前記第１の記憶部から読み出し、前記コンテンツの複製先である自身を特定する第２のメディアＩＤが記憶された外部記憶媒体に譲渡する譲渡処理部と、前記譲渡処理部により譲渡された前記外部記憶媒体の第２のメディアＩＤ、前記所定の鍵、および第２の回数情報を記憶する第２の記憶部と、前記第２の記憶部に記憶された前記外部記憶媒体のメディアＩＤを参照し、前記譲渡処理部によって前記回数情報の譲渡を以前に行っていると判別された場合は、前記外部記憶媒体に対して、前記第１の回数情報のうち、任意の回数を第３の回数情報として譲渡する再譲渡処理部とを具備することを特徴とするコンテンツ記憶装置が提供される。
【０００６】
また、所定の鍵により暗号化されたコンテンツと、前記所定の鍵と、自身を特定する第１のメディアＩＤと、前記コンテンツの使用権を表す第１の回数情報とが記憶された記憶部と、前記コンテンツと、前記所定の鍵と、前記第１の回数情報の一部の回数である第２の回数情報とを前記記憶部から読み出し、前記コンテンツの複製先である自身を特定する第２のメディアＩＤが記憶された外部記憶媒体に譲渡する譲渡処理部と、前記外部記憶媒体に記憶されている前記コンテンツおよび前記所定の鍵を参照し、前記譲渡処理部によって前記回数情報の譲渡を以前に行っていると判別された場合は、前記第１の回数情報のうち、任意の回数を第３の回数情報として譲渡する再譲渡処理部とを具備することを特徴とするコンテンツ記憶装置が提供される。
【０００７】
さらに、所定の鍵により暗号化されたコンテンツと、前記所定の鍵と、自身を特定する第１のメディアＩＤと、前記コンテンツの使用権の使用可能回数を表す第１の回数情報とが記憶された第１の記憶部を備えたコンテンツ記憶装置で用いられる譲渡制御方法であって、前記コンテンツと、前記所定の鍵と、前記第１の回数情報の一部の回数である第２の回数情報とを前記第１の記憶部から読み出し、前記コンテンツの複製先である自身を特定する第２のメディアＩＤが記憶された外部記憶媒体に譲渡し、前記譲渡された前記外部記憶媒体の第２のメディアＩＤ、前記所定の鍵、および第２の回数情報を第２の記憶部に記憶し、前記第２の記憶部に記憶されている前記外部記憶媒体のメディアＩＤを参照し、前記回数情報の譲渡を以前に行っていると判別された場合は、前記外部記憶媒体に対して、前記第１の回数情報のうち、任意の回数を第３の回数情報として再譲渡することを特徴とする譲渡制御方法が提供される。
【０００８】
また、所定の鍵により暗号化されたコンテンツと、前記所定の鍵と、自身を特定する第１のメディアＩＤと、前記コンテンツの使用権を表す第１の回数情報とが記憶された記憶部とを備えたコンテンツ記憶装置で用いられる譲渡制御方法であって、前記コンテンツと、前記所定の鍵と、前記第１の回数情報の一部の回数である第２の回数情報とを前記記憶部から読み出し、前記コンテンツの複製先である自身を特定する第２のメディアＩＤが記憶された外部記憶媒体に譲渡し、前記外部記憶媒体の前記コンテンツおよび前記所定の鍵を参照し、前記回数情報の譲渡を以前に行っていると判別された場合は、前記第１の回数情報のうち、任意の回数を第３の回数情報として再譲渡することを特徴とする譲渡制御方法が提供される。
【発明を実施するための最良の形態】
【０００９】
以下、本発明の実施形態について図面を参照しながら説明する。
【００１０】
図１に、本発明の一実施形態に係る記録再生装置の構成の一例を示す。
【００１１】
映像記録装置１は、記録／再生部１０、データ処理部２０、映像入力部３０、映像出力部４０、譲渡情報制御部６０、表示制御部７０および主制御部５０等を含む。
【００１２】
記録／再生部１０は、例えばハードディスク記録装置を有し、公衆向けに、テレビ放送として放送局から送信される映像（番組）を１００時間程度記録可能な容量が与えられたハードディスクドライブ部（以下、ＨＤＤと示す）１２、ＨＤＤ１２と同様の規格で圧縮されたデータ（番組）が記録可能で、外部へのデータ（番組）の持ち出しと、外部からの持ち込みを可能とする記録媒体、例えば光ディスクへのデータの記録と再生に利用される光ディスクドライブ部１３、およびＨＤＤ１２および／または光ディスクドライブ部１３とデータ処理部２０との間で、圧縮されたデータ（映像コンテンツ、すなわち番組）の転送を行うデータ転送制御部１１を含む。
【００１３】
記録／再生部１０においては、データ処理部２０において圧縮されたデジタル信号が、例えばユーザによる指示に応じ、データ転送制御部１１を経由して、ＨＤＤ１２内の所定の記録領域または光ディスクドライブ部１３にセットされた光ディスクＤに記録される。もちろん、再生要求があった場合には、要求に応じて再生されたデータがデータ処理部２０に出力される。また、上記記録／再生部１０は、ＡＡＣＳに規定されている記録処理や再生処理を実行する機能も備えている。また、ＨＤＤ１２に録画された著作権保護がされたコンテンツ（デジタル信号）を光ディスクＤに記録（コピーおよび移動：ムーブ）する場合には、コンテンツの使用権の使用可能回数を表す回数情報等を光ディスクＤに譲渡する。また、コンテンツの使用権の使用可能回数がＨＤＤ１２に録画された著作権保護がされたコンテンツに残っている場合は、一度譲渡を行った光ディスクＤに対して再譲渡することができる。
【００１４】
データ処理部２０は、データ編集部２１、エンコーダ２２、デコーダ２３、および音声映像処理部２４等を含み、映像入力部３０から供給されるデータ（番組）を所定形成に圧縮したのち記録／再生部１０に転送するとともに、再生要求に従って記録／再生部１０から出力されたデータを復号して、映像出力部４０に出力する。また、上記データ処理部２０は、ＡＡＣＳに規定されている暗号化処理や複合化処理などを実行する機能も備えている。
【００１５】
データ編集部２１においては、圧縮されたデータを記録／再生部１０に転送する際に、記録するための区分、例えば図示しないが、任意数のフォルダ（ディレクトリ）のうちの特定されたフォルダに対して、記録対象の番組（データ）を記録が指示されるとともに、その番組に「番組名」や「映画」あるいは「音楽」等の「ジャンル識別名」、「アーティスト（出演者）名」等のデータ特定項目が付加可能である。
【００１６】
エンコーダ２２は、データの符号化（圧縮）を行う装置であり、映像入力部３０を経由して供給されるデータ（番組）は、予め指定された圧縮方法（規格）および圧縮率で（エンコーダ２２により）圧縮される。なお、エンコーダ２２には、周知の多重化部が組み込まれてもよい。
【００１７】
デコーダ２３は、データの復号化（伸長）を行う装置であり、エンコーダ２２による圧縮方法（規格）に対応する復号方法（規格）で、記録／再生部１０から供給されるデータ（番組）を復号（伸長）して、映像出力部４０に向けて出力する。また、デコーダ２３には、周知の分離部が組み込まれてもよい。
【００１８】
音声映像処理部２４においては、デコーダ２３において復号された映像データと（通常は、映像信号と独立に復号される）音声データとが、合成される（出力タイミングが整合される）。なお、映像出力部４０に向けて出力されるデータには、音声映像処理部２４により、必要に応じて、ＯＳＤ（On Screen Display）ユニット５４により生成される操作用画面表示（ＯＳＤ）が合成される。
【００１９】
映像入力部３０は、例えば外部からの映像信号／入力信号の入力を受け入れる外部入力部３１、例えば放送衛星（ＢＳ）もしくは通信衛星（ＣＳ）を通じて提供される番組（データ）を受け入れるためのＢＳ／ＣＳチューナ部３２、例えば放送局からの公衆向け放送を受け入れるための地上波チューナ部３３、およびネットワーク網を経由して配信元から供給される（視聴可能な）データ（番組）を受け入れるネットワークコントローラ３４等を有する。なお、ネットワークコントローラ３４は、例えば公衆通信網（電話回線）と接続可能であり、通信網を介して、外部との間で任意に、データの授受が可能である。
【００２０】
外部入力部３１、ＢＳ／ＣＳチューナ部３２、地上波チューナ部３３、ならびにネットワークコントローラ３４等は、セレクタ部３５と接続され、先に説明したエンコーダ２２（データ処理部２０）に供給されるデータ（番組）は、エンコーダ２２が同時に処理可能なタイトル（番組）数または容量もしくは転送レート等に基づいて、（セレクタ部３５により）規定される。
【００２１】
映像出力部４０は、音声映像処理部２４（データ処理部２０）から出力された復号済み信号（再生映像および音声）を、セレクタ４１を経由して、外部出力部４２、Ｉ／Ｆ（インターフェイス４３、広く一般に普及しているテレビ（モニタ）Ｍに出力する映像／音声出力端４４等を含む。なお、ｌ／Ｆ４３の出力は、例えばパーソナルコンピュータ（ＰＣ）や、家庭内あるいは企業内等において普及している小規模ネットワークや、ＩＥＥＥ１３９４等に代表される特定のプロトコルに従うデータ転送システムとして利用可能である。
【００２２】
主制御部５０は、上述した記録／再生部１０、データ処理部２０、映像入力部３０および映像出力部４０のそれぞれに加え、以下に説明する譲渡情報制御部６０と表示制御部７０とを含む映像記録装置１の動作を制御するもので、個々の要素間における制御信号の伝送に利用される制御バス５１、主制御装置であるＭＰＵ（Main Processing Unit）５２、ワーク（キャッシュ）メモリ（ＲＡＭ）５３、ＯＳＤ（On Screen Display）ユニット５４、ならびにＭＰＵ５２のファームウエアとして（もしくは図示しないが、独立して）設けられ、映像記録装置１を動作させるためのイニシャルプログラムや、個々の制御コマンドに対応する動作や信号処理の方法、通信のための手続き等が記録されているＲＯＭを含む。また、上記ＭＰＵ５２は、必要に応じて、ＡＡＣＳに規定されているアプリケーションやドライバなどのソフトウェアを実行することが可能である。
【００２３】
譲渡情報制御部６０は、ＨＤＤ１２に録画された著作権保護がされたコンテンツを光ディスクＤに記録（コピーおよび移動）する場合、コンテンツの使用権の使用可能回数（コピーおよび移動の合計使用可能回数、例えばコピー９回、移動１回等）を表す回数情報等を光ディスクＤに譲渡する。また、コンテンツの使用権の使用可能回数がＨＤＤ１２に録画された著作権保護がされたコンテンツに残っている場合は、一度譲渡を行った光ディスクＤに対して再譲渡することができる。
【００２４】
表示制御部７０は、例えば映像記録装置１の詳述しない表示パネルに設けられる時計部への時刻および年月日の表示や、装置の動作状態、録画予約の有無、録画時の録画モード等が表示される表示部７２と、表示パネル（もしくは装置１の所定の位置）に設けられる操作部７３、および表示部７２への表示ならびに操作部７３を経由してユーザにより入力される制御コマンドあるいは入力情報を授受するための、パネル制御部７１等を含む。
【００２５】
なお、例えばリモコン端末Ｒにより入力される制御コマンドおよび入力情報は、図１に示す本件の映像記録装置１においては、操作部７３または表示部７２の所定の位置に設けられる（図示しない）リモコン信号受信部において受け入れられ、パネル制御部７１を通じて主制御部５０に入力される。もちろん、リモコン（端末）Ｒからの信号（コマンド）は、図示しないが専用の受信部を経由してそのまま主制御部５０に供給されてもよい。
【００２６】
リモコン端末Ｒは、映像記録装置１による映像の録画やダビング（コピー、移動）に際して、録画先やダビング先、例えばＨＤＤ１２または光ディスクＤ（光ディスクドライブ部１３）の特定、既に記録されている映像（番組）やそのタイトルまたはデータ特定項目の編集、映像供給元の切り替えおよび予約録画の設定等に代表される各種、制御コマンドならびに入力すべき情報の入力に利用される。
【００２７】
なお、映像記録装置１は、ネットワークコントローラ３４を経由して接続可能なネットワーク網、例えば広く利用されているインターネットを介して接続されるサーバ（情報供給元）１０１と接続可能である。サーバ（情報供給元）１０１には、例えば番組情報登録部１１１、番組情報記憶部１１２、および通信部（通信制御部）１１３等が用意されている。なお、サーバ１０１には、例えば直接（専用線）またはインターネットを通じて、映像供給元である放送局Ｔ等が情報を提供可能に接続されている。もちろん、ＥＰＧ向けの情報としては、放送波そのものに重畳されている信号も利用可能である。
【００２８】
図２は、映像記録装置１に備えられる譲渡機能を実現するソフトウェアの機能構成の一例を示す図である。なお、以下に示す各種機能の一部をハードウェアで実現してもよい。譲渡制御部６０によってＨＤＤ１２等からＲＡＭ５３にロードされる譲渡制御ソフトウェア２００は、複製出力制御部２０１およびコンテンツ同一性検査制御部２０２を備えている。また、ＨＤＤ１２は、コンテンツ記憶領域１２ａおよび複製先履歴記憶領域１２ｂを備えている。
【００２９】
コンテンツ記憶領域１２ａは、録画されたＴＶ番組等のデジタル信号を記憶する。放送波がスクランブルされているような場合には、デスクランブルの処理も行うものとする。また、コンテンツソースはＴＶチューナに限らず、例えばインターネット等からのコンテンツのダウンロードであっても良いし、ディスクメディアからの読み込みインターフェイスであっても良い。これらの録画されたコンテンツは、固有のコンテンツＩＤ、タイトル鍵（コンテンツごとに映像記録装置で作成される鍵：例えばハッシュ関数やＣＲＣ等を用いる）、および使用可能回数情報を備えており、著作権保護がなされている。使用可能回数情報は、ＨＤＤ１２から光ディスク等の外部記憶媒体へのコピーおよび移動（ムーブ）の合計回数を定めたものである。例えば、コピー９回および移動１回（合計の使用可能回数１０回）等である。複製先履歴記憶領域１２ｂは、ＨＤＤ１２からの外部記憶媒体（例えば光ディスク）へのコピーおよび移動（ムーブ）を行った場合、複製先の光ディスクの固有のメディアＩＤ、コンテンツＩＤ（＋タイトル鍵）、使用可能回数情報等を記憶する。例えば、ＨＤＤ１２から光ディスクＤに著作権保護がなされているコンテンツ（使用可能回数１０回）をコピーする場合、コンテンツおよび使用可能回数は６回の情報をＨＤＤ１２から光ディスクＤに譲渡する。この場合、ＨＤＤ１２に記憶されているコンテンツの残りの使用可能回数は４回となる。さらに、同一の光ディスクＤに再譲渡を行うことができる。例えば、使用可能回数３回の情報をＨＤＤ１２から光ディスクＤに再譲渡する。この場合、ＨＤＤ１２に記憶されているコンテンツの残りの使用可能回数は１回となる。ＨＤＤ１２に記憶されているコンテンツの残りの使用可能回数は１回となった場合は（最後の１回は、「移動：ムーブ」のみ可能となる）、例えば、ユーザに対して表示を行う等の手段を用いてこの旨を通知する。なお、これら記憶領域１２ａ、１２ｂ、光ディスクＤは、ハードディスクドライブのような大容量の記憶媒体でも良いし、不揮発性のメモリなどでもよく、種類は問わない。また、当該実施形態では４つに分けて記載しているが、これらの幾つか、または全てについて、同一の記憶媒体上にそれぞれの記憶領域を確保しても良い。また光ディスクＤは外部記憶媒体と記しているが、内蔵の記憶媒体でもかまわない。
【００３０】
複製出力制御部２０１は、ＨＤＤ１２から光ディスク等の外部記憶媒体へのコピーおよび移動（ムーブ）の制御を行う。コンテンツ同一性検査制御部２０２は、コンテンツ記憶領域１２ａおよび光ディスクＤに記憶されているコンテンツが同一のコンテンツか否かを判別する。コンテンツ同一性検査制御部２０２は、リモコンＲ等からの指示をユーザインターフェイス部１０１を介して受信する。複製出力制御部２０１は、入出力インターフェイス部１００部１０１部を介して光ディスクドライブ部１３にアクセスを行う。
【００３１】
また複製出力制御部２０１は、ユーザからのコンテンツを複製ないしは移動の指示をユーザインターフェイス部１０１およびコンテンツ同一性検査制御部２０１を介して、またはコンテンツ同一性検査制御部を介さずに入力され、コンテンツ記憶領域１２ａ上に記憶されているコンテンツを光ディスクＤに複製ないしは移動する。また必要があればコンテンツの加工を行い複製ないしは移動を制御するものである。また、コンテンツ記憶領域１２ａに記憶されているコンテンツの複製の可否の判定、複製回数管理、複製を行ったコンテンツのステータス情報の管理等によって、コンテンツの著作権を管理する機能を持つ。
【００３２】
入出力インターフェイス部１００は、複製ないしは移動する場合にコンテンツを出力する。また外部記憶媒体やコンテンツ記憶装置と通信する機能を持つ。また、接続された外部記憶媒体やコンテンツ記憶装置が複製を許諾される機器であるかを認証する機能を有する。例えばDTCP（Digital Transmission Content Protection）保護機能付きのIEEE1394インターフェイスなどが例として挙げられる。また入出力ユーザインターフェイス部１０１はユーザに対し、メニュー等のGUI（Graphical User Interface）を表示し、またユーザからの指示を受けて、ユーザインターフェイス部１０１、コンテンツ同一性検査制御部２０２を介して、またはコンテンツ同一性検査制御部２０２を介さずに入力され、複製出力制御部２０１に指示を渡すためのユーザの操作に対する入出力を管理する機能を持つ。
【００３３】
外部記憶媒体は本実施形態における複製先となる機器であり、ハードディスクや不揮発性メモリを内蔵した携帯メディアプレイヤーなどが考えられるが、HD DVD-R/RWやSDメモリカードなどのリムーバブルメディアであっても構わない。また外部記憶媒体と記しているが、内蔵の記憶媒体でもかまわない。当該実施形態では、光ディスクＤとして説明している。
【００３４】
次に、以上のように構成された本発明の実施形態に係る映像記録装置を適用した譲渡制御方法について図３のフローチャートを参照して説明する。なお、以下は、例えば所定のコンテンツ（例えば特定のコンテンツであるコンテンツα）をＨＤＤ１２から光ディスクＤに複製する場合を説明するものであるが、これに限定されるものではなく、複製可能な記憶媒体であれば問わない。
【００３５】
コンテンツを複製する場合、ユーザが複製先の光ディスクＤを、入出力インターフェイス部１００部１０１に接続し、リモコンＲなどを介して複製するコンテンツを選択する。ユーザの操作情報はユーザインターフェイス部１０１から取り込まれて複製出力制御部２０１に渡される。
【００３６】
譲渡制御部６０によってＨＤＤ１２等からＲＡＭ５３にロードされる譲渡制御ソフトウェア２００は、ユーザインターフェイス部１０１を介して録画されたコンテンツ（特定のコンテンツα：例えばコンテンツαの使用可能回数を１０回とする。以下、単にコンテンツという）の例えば光ディスクＤへのコピー指示を受信すると（ステップＳ１０１のＹＥＳ）、コピー先の外部記憶媒体、例えば光ディスクＤの複製履歴が複製先履歴記憶領域１２ｂにあるか否かを判別する（ステップＳ１０２）。ステップＳ１０２で複製履歴が複製先履歴記憶領域１２ｂにあるか否かを判別する場合、複製先履歴記憶領域１２ｂに記憶されている複製先の光ディスクの固有のメディアＩＤ、コンテンツＩＤ（＋タイトル鍵）、使用可能回数情報の３つの情報が光ディスクＤに記憶されている情報（メディアＩＤ、コンテンツＩＤ（＋タイトル鍵）、使用可能回数情報）と対応するか否かで判別する。
【００３７】
譲渡制御部６０によって、ステップＳ１０２で複製履歴が複製先履歴記憶領域１２ｂにないと判別された場合（ステップＳ１０２のＮＯ）、図４に示すように、コンテンツ記憶領域１２ａに記憶されているコンテンツの使用可能回数情報の残り回数が１０回で、光ディスクＤは複製履歴がない状態であるので、新規に履歴情報をコンテンツ記憶領域１２ａに作成する（ステップＳ１０３）。この場合、必要であれば光ディスクＤを所定のフォーマットで初期化を行う。なお、ステップＳ１０２で複製履歴が複製先履歴記憶領域１２ｂにないと判別された場合で、かつコンテンツがコピーネヴァー（コピー不可）の設定がなされているもの等については、ユーザにその旨を表示して終了する。
【００３８】
一方、譲渡制御部６０によって、ステップＳ１０２で複製履歴が複製先履歴記憶領域１２ｂにあると判別された場合（ステップＳ１０２のＹＥＳ）、以前にコンテンツの使用可能回数情報の譲渡を行った光ディスクＤであった場合は、コンテンツ記憶領域１２ａに記憶されている複製を行うコンテンツの使用可能回数情報が残り１回であるかを判別する（ステップＳ１０４）。この場合、例えば図５に示すように、コンテンツ記憶領域１２ａに記憶されているコンテンツの使用可能回数情報の残り回数が４回で、光ディスクＤに記憶されているコンテンツの使用可能回数情報の残り回数が６回であれば、コンテンツの使用可能回数情報が残り１回でない（２回以上残っている場合。例えば残り４回）と判別され（ステップＳ１０４のＮＯ）、コンテンツの使用可能回数情報の回数を所定回数、例えば残り４回中の３回を光ディスクに譲渡処理を行う。この場合、図６に示すように、コンテンツ記憶領域１２ａに記憶されているコンテンツの使用可能回数情報の残り回数が１回で、光ディスクＤに記憶されているコンテンツの使用可能回数情報の残り回数が９回となる。すなわち、コンテンツ記憶領域１２ａから譲渡するコンテンツの使用可能回数情報は、光ディスクＤに記憶されているコンテンツの使用可能回数情報に合算される。また、合算しないようにしてもよい。
【００３９】
一方、ステップＳ１０４で、例えば図６に示すように、コンテンツ記憶領域１２ａに記憶されているコンテンツの使用可能回数情報の残り回数が１回で、光ディスクＤに記憶されているコンテンツの使用可能回数情報の残り回数が９回であれば、コンテンツの使用可能回数情報が残り１回と判別され（ステップＳ１０４のＹＥＳ）、ユーザに対して、表示を行う等の方法によりコンテンツの使用可能回数情報が残り１回の旨の通知を行う（ステップＳ１０６）。ユーザによりユーザインターフェイス部１０１を介して、残り１回のコンテンツの使用可能回数情報を光ディスクＤに譲渡するとの指示を受信した場合は（ステップＳ１０７のＹＥＳ）、残り１回のコンテンツの使用可能回数情報を光ディスクＤに譲渡する処理を行う（ステップＳ１０５）。この場合、コンテンツ記憶領域１２ａに記憶されているコンテンツの使用可能回数情報の残り回数が０回で（ＨＤＤ１２から当該コンテンツは削除される）、光ディスクＤに記憶されているコンテンツの使用可能回数情報の残り回数が１０回となる。すなわち、コンテンツ記憶領域１２ａから譲渡するコンテンツの使用可能回数情報は、光ディスクＤに記憶されているコンテンツの使用可能回数情報に合算される。また、合算しないようにしてもよい。
【００４０】
上述した実施形態によれば、過去にコンテンツの使用可能回数情報を譲渡処理した履歴のある外部記憶媒体に対して、コンテンツの使用可能回数情報を再譲渡することができる。
【００４１】
次に、上述した実施形態の変形例としては、以下のような形態が考えられる。
【００４２】
例えば、図７は変形例の構成を示したブロック図である。この変形例と上述した実施形態との相違点は、ＨＤＤ１２内に複製先履歴記憶領域１２ｂがない点である。上述した実施形態では、複製先の履歴情報の判別を複製先履歴記憶領域１２ｂに記憶されている複製先の光ディスクの固有のメディアＩＤ、コンテンツＩＤ（＋タイトル鍵）、使用可能回数情報の３つの情報が光ディスクＤに記憶されている情報（メディアＩＤ、コンテンツＩＤ（＋タイトル鍵）、使用可能回数情報）と対応するか否かで判別を行っている。一方、当該変形例では、光ディスクＤに記憶されている情報（メディアＩＤ、コンテンツＩＤ（＋タイトル鍵）、使用可能回数情報）のみを参照することにより、過去にコンテンツの複製を行ったか否かを判別する。ＨＤＤ１２のコンテンツ記憶領域１２ａに記憶されている暗号化されたコンテンツ情報と、光ディスクＤに記憶されている情報（メディアＩＤ、コンテンツＩＤ（＋タイトル鍵）、使用可能回数情報）を比較することで、コンテンツ記憶領域１２ａに記憶されているコンテンツを複製した光ディスクＤであるかを判別することができる。
【００４３】
上述した変形例によれば、ＨＤＤ１２内に複製先履歴記憶領域１２ｂがない場合でも過去にコンテンツの複製を行ったか否かを判別することができる。
【００４４】
なお、本発明は、上述した実施形態そのままに限定されるものではない。本発明は、実施段階では、その要旨を逸脱しない範囲で構成要素を変更して具現化できる。
【００４５】
また、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【図面の簡単な説明】
【００４６】
【図１】本発明の一実施形態に係る映像記録装置他の構成例を示すブロック図。
【図２】本発明の一実施形態に係る映像記録装置の主要な構成を示すブロック図。
【図３】本発明の一実施形態に係る映像記録装置の譲渡制御方法を説明するためのフローチャート。
【図４】本発明の一実施形態に係る映像記録装置の使用可能回数情報の管理を示す概念図。
【図５】本発明の一実施形態に係る映像記録装置の使用可能回数情報の管理を示す概念図。
【図６】本発明の一実施形態に係る映像記録装置の使用可能回数情報の管理を示す概念図。
【図７】本発明の変形例に係る映像記録装置の主要な構成を示すブロック図。
【符号の説明】
【００４７】
１…映像記録装置、１０…記録／再生部、１１…データ転送制御部、１２…ハードディスクドライブ部、１２ａ…複製先履歴記憶領域、１２ｂ…コンテンツ記憶領域、１３…光ディスクドライブ部、Ｄ…光ディスク、２０…データ処理部、３０…映像入力部、４０…映像出力部、５０…主制御部、６０…譲渡情報制御部、７０…表示制御部、１００…入出力インターフェイス部、１０１…ユーザインターフェイス部、２００…譲渡制御ソフトウェア、２０１…複製出力制御部、２０２…コンテンツ同一性検査制御部。
【図１】
2009181313.tif 000003
【図２】
2009181313.tif 000004
【図３】
2009181313.tif 000005
【図４】
2009181313.tif 000006
【図５】
2009181313.tif 000007
【図６】
2009181313.tif 000008
【図７】
2009181313.tif 000009